(57)【要約】【課題】意図しない対象物の露出を防ぐことができるロック構造を提供する。【解決手段】ケースと、ケース内部に対象物を係止する第一ロック手段と、第一係合手段と係合する第二係合手段と、を具備し、第一ロック手段が対象物を係止する係止位置とその係止を解除する解除位置との間をスライドするスライド部材と、解除位置から係止位置方向へスライド部材を弾性的に付勢する第一付勢手段と、を備える。第二係合手段と第一係合手段との内、一方は突起であり、他方は溝である。溝は第二ロック手段を具備する。係止位置から解除位置方向へスライド部材をスライドすると、突起と第二ロック手段とが係合し、対象物がケースから出る方向とは反対方向にスライド部材を押し込むことで、溝と第二ロック手段との係合が解除され、さらに、係止位置から解除位置方向へスライド部材をスライドさせることで、対象物と第一ロック手段との係止が解除される。【選択図】図２
2012209507.tif 000002
【特許請求の範囲】
【請求項１】
対象物が出入りする開口部と、第一係合手段と、を具備し、前記対象物を収納する空間が形成されているケースと、
前記ケース内部に前記対象物を係止する第一ロック手段と、前記第一係合手段と係合する第二係合手段と、を具備し、前記第一ロック手段が前記対象物を係止する係止位置とその係止を解除する解除位置との間をスライドするスライド部材と、
前記解除位置から前記係止位置方向へ前記スライド部材を弾性的に付勢する第一付勢手段と、を備え、
前記第二係合手段と前記第一係合手段との内、一方は突起であり、他方は前記突起が嵌るようにスライド方向に形成された溝であり、前記溝は第二ロック手段を具備し、
前記係止位置から前記解除位置方向へ前記スライド部材をスライドすると、前記突起と前記第二ロック手段とが係合し、前記対象物が前記ケースから出る方向とは反対方向に前記スライド部材を押し込むことで、前記溝と前記第二ロック手段との係合が解除され、さらに、前記係止位置から前記解除位置方向へ前記スライド部材をスライドさせることで、前記対象物と前記第一ロック手段との係止が解除される、
ロック構造。
【請求項２】
一端側に接続端子を備え、回動自在に支持されているコネクタが出入りする開口部と、筒状突起と、を具備し、前記コネクタを収納する空間が形成されているケースと、
前記ケース内部に前記コネクタの一端側を係止する係止爪と、前記筒状突起と係合する溝と、を具備し、前記係止爪が前記コネクタの一端側を係止する係止位置とその係止を解除する解除位置との間をスライドするスライド部材と、
前記解除位置から前記係止位置方向へ前記スライド部材を弾性的に付勢する第一付勢手段と、を備え、
前記スライド部材の溝には段差が形成され、
前記係止位置から前記解除位置方向へ前記スライド部材をスライドすると、前記筒状突起と前記段差とが係合し、前記コネクタの一端側が前記ケースから出る方向とは反対方向に前記スライド部材を押し込むことで、前記筒状突起と前記段差との係合が解除され、さらに、前記係止位置から前記解除位置方向へ前記スライド部材をスライドさせることで、前記コネクタの一端側と前記係止爪との係止が解除される、
ロック構造。
【請求項３】
請求項２記載のロック構造であって、
前記コネクタを前記ケースから出る方向に弾性的に付勢する第二付勢手段をさらに備え、
前記第二付勢手段に付勢された前記コネクタの一端側が、前記スライド部材を、前記コネクタが前記ケースから出る方向に付勢し、
前記スライド部材の溝の段差は前記コネクタが前記第二付勢手段の付勢方向に突出して形成されている、
ロック構造。
【請求項４】
請求項２または３記載のロック構造であって、
前記コネクタの一端側を前記ケースへ入る方向に押し込むことにより、前記スライド部材が前記係止位置から前記解除位置方向へスライドするように、前記スライド部材が形成されている、
ロック構造。
【請求項５】
請求項２から４の何れかに記載のロック構造であって、
前記ケースは、上ケースと下ケースとからなり、上ケースと下ケースの何れか一方に前記スライド部材の溝に嵌り、かつ、前記スライド部材を固定する筒状突起が、少なくとも２箇所、異なる面に連続して形成される、
ロック構造。
【請求項６】
請求項２から５の何れかに記載のロック構造であって、
前記スライド部材の前記溝には、スライド方向における移動を規制するための細溝部が形成されている、
ロック構造。
【発明の詳細な説明】
【技術分野】
【０００１】
本発明は対象物、特に回転収納式コネクタをケース内部に係止するロック構造に関する。
【背景技術】
【０００２】
特許文献１記載の回転収納式コネクタが従来技術として知られている。また、特許文献２記載の回転収納式コネクタは、プラグがケースから出る方向（以下「回転飛び出し方向」という）に弾性的に付勢されており、ロックを解除することで自動的にプラグがケース外部に出る従来技術として知られている。
【先行技術文献】
【特許文献】
【０００３】
【特許文献１】特開２００５−２１７１９０号公報
【特許文献２】実開昭６２−１２７６８１号公報
【発明の概要】
【発明が解決しようとする課題】
【０００４】
しかしながら、特許文献１は、プラグのプラグ側とは反対側の凹凸部を手動で回転させ、プラグをケース外部に露出させる必要があり、その操作が煩雑である。また、凹凸部に衝撃等が加わることにより意図せずにプラグが露出してしまう虞がある。意図しないコネクタの露出は、破損等の原因となる。特許文献２は、つまみをスライドさせ、ロックを解除することで、自動的にプラグをケース外部に露出させることができる。しかし、つまみのスライド方向に衝撃等が加わった場合、意図せずにロックが解除され、プラグが露出してしまう虞がある。自動的にプラグ全体がケース外部に露出するため、特許文献１よりも露出部分が大きくなる可能性が高く、破損等の可能性も高くなる。
【０００５】
本発明は、意図しない対象物（例えば、コネクタ）の露出を防ぐことができるロック構造を提供することを目的とする。
【課題を解決するための手段】
【０００６】
上記の課題を解決するために、本発明の第一の態様に係るロック構造は、対象物が出入りする開口部と、第一係合手段と、を具備し、対象物を収納する空間が形成されているケースと、ケース内部に対象物を係止する第一ロック手段と、第一係合手段と係合する第二係合手段と、を具備し、第一ロック手段が対象物を係止する係止位置とその係止を解除する解除位置との間をスライドするスライド部材と、解除位置から係止位置方向へスライド部材を弾性的に付勢する第一付勢手段と、を備える。第二係合手段と第一係合手段との内、一方は突起であり、他方は突起が嵌るようにスライド方向に形成された溝である。溝は第二ロック手段を具備する。係止位置から解除位置方向へスライド部材をスライドすると、突起と第二ロック手段とが係合し、対象物がケースから出る方向とは反対方向にスライド部材を押し込むことで、溝と第二ロック手段との係合が解除され、さらに、係止位置から解除位置方向へスライド部材をスライドさせることで、対象物と第一ロック手段との係止が解除される。
【０００７】
上記の課題を解決するために、本発明の第二の態様に係るロック構造は、一端側に接続端子を備え、回動自在に支持されているコネクタが出入りする開口部と、筒状突起と、を具備し、コネクタを収納する空間が形成されているケースと、ケース内部にコネクタの一端側を係止する係止爪と、筒状突起と係合する溝と、を具備し、係止爪がコネクタの一端側を係止する係止位置とその係止を解除する解除位置との間をスライドするスライド部材と、解除位置から係止位置方向へスライド部材を弾性的に付勢する第一付勢手段と、を備える。スライド部材の溝には段差が形成される。係止位置から解除位置方向へスライド部材をスライドすると、筒状突起と段差とが係合し、コネクタの一端側がケースから出る方向とは反対方向にスライド部材を押し込むことで、筒状突起と段差との係合が解除され、さらに、係止位置から解除位置方向へスライド部材をスライドさせることで、コネクタの一端側と係止爪との係止が解除される。
【発明の効果】
【０００８】
本発明に係るロック構造は、突起と第二ロック手段（例えば、溝に形成された段差）との係合により、意図しない対象物の露出を防止する効果を奏する。
【図面の簡単な説明】
【０００９】
【図１】回転収納式コネクタ１００の正面、右側面及び平面を示す斜視図。
【図２】回転収納式コネクタ１００の正面、右側面及び平面を示す分解斜視図。
【図３】図３（Ａ）はシェル１３１を透過したプラグ１３０の平面図、図３（Ａ）はシェル１３１を透過したプラグ１３０の底面図。
【図４】上ケース１１０の正面、右側面及び底面を示す斜視図。
【図５】図５（Ａ）はスライド部材１４０の平面図、図５（Ｂ）はスライド部材１４０の背面図。
【図６】図６（Ａ）はロック状態の回転収納式コネクタ１００の平面図、（Ｂ）は（Ａ）の状態から上ケース１１０を透過した状態を示す平面図。
【図７】ロック解除直後の状態の回転収納式コネクタ１００の平面図。
【図８】図８は図６（Ｂ）の範囲Ｄの拡大図。
【図９】プラグ使用状態の回転収納式コネクタ１００の平面図。
【図１０】プラグ収納途中状態の回転収納式コネクタ１００の平面図。
【図１１】図６（Ａ）のＸ−Ｘ断面図。
【図１２】動画撮影装置１０の外観図。
【発明を実施するための形態】
【００１０】
以下、ＵＳＢ規格に準拠するプラグ（以下、単に「プラグ」という）に本発明の技術思想を適用した実施形態について、図面を参照しながら詳細に説明する。但し、本発明の技術思想が適用可能なコネクタは特定の規格に準拠するコネクタに限定されるものではなく、任意の規格（例えば、ｍｉｎｉＵＳＢ規格、ＩＥＥＥ１３９４規格、ＪＩＳ  Ｃ  ８３０３−１９９３など）に準拠するコネクタ全般に適用可能である。
【００１１】
＜第一実施形態＞
図１及び図２を用いて第一実施形態に係る回転収納式コネクタ１００を説明する。図１及び図２に示すように回転収納式コネクタ１００は上ケース１１０と下ケース１１１と回転軸１２０とプラグ１３０とスライド部材１４０と第一付勢手段１５０とを備える。なお、図１において、プラグ１３０及びスライド部材１４０が露出している面を回転収納式コネクタ１００の正面とし、下ケース１１１からなる面を底面とし、回転収納式コネクタ１００の中心から見て正面方向を前方とし、下ケース１１１方向を下方として説明する。
【００１２】
＜回転軸１２０及びプラグ１３０＞
図２及び図３に示すようにプラグ１３０はシェル１３１と第一ボディ１３２と第二ボディ１３３と第二付勢手段１３４と４つの接続端子１３５とを具備する。
【００１３】
プラグ１３０は一端側に接続端子１３５を、他端側にその内周面が回転軸１２０の外周面と接するように形成された貫通孔１３２ａを具備し、回転軸１２０を中心として回動自在に支持されている。プラグ１３０の形状はＵＳＢ規格に準拠するものとする。
【００１４】
第二付勢手段１３４は、例えばねじりコイルばねであり、第一ボディ１３２に形成された略円筒状の第二付勢手段用溝１３２ｂに遊嵌される。
【００１５】
第二ボディ１３３は右方向に突出する接続端子支持板１３３ａを有する。この接続端子支持板１３３ａの底面には、所定の間隔で４本の接続端子受容溝が形成されている。接続端子１３５は、これらの接続端子受容溝に圧入されて、図３（Ｂ）に示すように、その接点部１３５ａが接続端子支持板１３３ａの底面に配置される。接続端子１３５は、第二ボディ１３３の左方向から第一ボディ１３２に延出して、左側端に電子機器内部の端子と電気的に接続するためのリード線等の接続線を接続される端子部１３５ｂを具備する。なお、図３（Ｂ）において、右端以外の接続端子については接点部１３５ａ及び端子部１３５ｂの記載を省略している。
【００１６】
第一ボディ１３２及び第二ボディ１３３は、例えばプラスチック等の絶縁体からなる。シェル１３１及び接続端子１３５は例えば、導電体からなる。
【００１７】
シェル１３１は、一体化した第一ボディ１３２と第二ボディ１３３とを覆うように四角筒状に形成され、第一ボディ１３２の貫通孔１３２ａに対応する部分（上壁及び底壁）に、同じ大きさの孔が形成される（図２参照）。シェル１３１の孔と第一ボディ１３２の貫通孔１３２ａを併せてプラグ１３０のプラグ孔部１３０ａとする。
【００１８】
第二付勢手段１３４は、例えば金属等の導電体からなるねじりコイルばねであり、一端に後述する下ケース１１１と係止する下ケース用係止部１３４ａを、他端に第一ボディ１３２と係止する第一ボディ用係止部１３４ｂを備え、各係止部が係止されることで、プラグ１３０を後述するケースから出る方向（以下「回転飛び出し方向」または「第二付勢方向」という）に弾性的に付勢する。
【００１９】
回転軸１２０は、例えば円筒状に形成される。
【００２０】
＜上ケース１１０及び下ケース１１１＞
ケースは例えばプラスチック等の絶縁体からなる上ケース１１０及び下ケース１１１を一体化して形成され（図２参照）、略矩形板状である。板状の上ケース１１０の両側端及び後方端から下方に周縁部１１０ｅが延長して形成され（図４参照）、周縁部１１０ｅを下ケース１１１で蓋する。このような構成により、ケースはプラグ１３０を収納する空間と、プラグ１３０が出入りする開口部とを備える（図１参照）。言い換えると、ケースには、プラグ１３０を収納する空間とプラグ１３０が出入りする開口部とが形成されている。なお、後方端から下方に延長して形成された周縁部１１０ｅには、開口部１１０ｇが形成され、この開口部１１０ｇを介してリード線等を後方に備える基板等の端子に接続する（但しリード線等、基板等は図示していない）。
【００２１】
上ケース１１０は下方に突出して形成された円筒状突起１１０ａ，１１０ｂと前方に突出して形成された長円筒状突起１１０ｃとを備え（図４参照）、下ケース１１１は上方に突出して形成された円筒状突起１１１ａ，１１１ｂを備える（図２参照）。上ケースは、後述するスライド部材１４０の溝に嵌り、かつ、スライド部材１４０を固定する円筒状突起１１０ａ，１１０ｂと長円筒状突起１１０ｃが、異なる面に連続して形成される。下ケースの円筒状突起１１１ａ，１１１ｂも後述するスライド部材１４０の溝に嵌り、かつ、スライド部材１４０を固定する。さらに、上ケース１１０は、回転軸１２０を受ける軸受部１１０ｄを備える。軸受部１１０ｄは円筒状の穴であり、その底と回転軸１２０の上面が当接し、その内周面は回転軸１２０の外周面と当接するように形成される。さらに、下ケース１１１は、回転軸１２０が貫通（軸通）する下ケース孔部１１１ｃを備え、その内周面は回転軸１２０の外周面と当接するように形成される。また、下ケース１１１は、前述の第二付勢手段１３４の一端の下ケース用係止部１３４ａと係止する第二付勢手段用係止部１１１ｄを備える。第二付勢手段用係止部１１１ｄは、例えば、上方に突出して形成され、さらに突出部分の略中央に円筒状の穴が形成される。その穴の内周面は第二付勢手段の下ケース用係止部１３４ａの外周面と当接するように形成される。
【００２２】
上ケース１１０及び下ケース１１１にはそれぞれプラグ用受部１１０ｆ及び１１１ｅが形成され、前述のプラグ１３０が使用状態（詳細は後述する）のときに、第二付勢手段１３４によって付勢されるプラグ１３０の後方端１３０ｂを受ける。
【００２３】
＜スライド部材１４０及び第一付勢手段１５０＞
スライド部材１４０は例えばプラスチック等の絶縁体からなり、略直方体状であり、図５に示すように左側端には後方に突出して形成された係止爪１４０ａを具備する。この係止爪１４０ａが前記プラグ１３０の一端側（接続端子１３５を備える側）をケース内部に係止する（詳細は後述する）。スライド部材１４０は、正面に凸部１４０ｅが前方に突出して形成される。回転収納式コネクタ１００の利用者は、凸部１４０ｅを押圧してスライド部材１４０をスライド操作することができる。背面に右側端から左方向に延びる長円筒状突起用溝１４０ｄが形成される。平面及び底面に溝１４０ｂ，１４０ｇが形成される。さらに、溝１４０ｂには段差１４０ｃが形成される。溝１４０ｂ，１４０ｇは、細溝部１４０ｆで連通される。言い換えると、スライド部材１４０の平面及び底面には、スライド方向に溝１４０ｂ，１４０ｇ及び細溝部１４０ｆが形成されている。溝１４０ｂには前述の円筒状突起１１０ａ及び１１１ａが嵌り、溝１４０ｇには前述の円筒状突起１１０ｂ及び１１１ｂが嵌るように形成される。なお、溝１４０ｂの幅は一定ではなく、段差１４０ｃが形成される。また、スライド部材１４０の背面のスライド方向に長円筒状突起用溝１４０ｄが形成される。なお、図示していないが底面にも同様の溝が形成される。
【００２４】
溝１４０ｂは、その幅が上ケース１１０の円筒状突起１１０ａ及び下ケース１１１の円筒状突起１１１ａの直径よりも長く形成され、溝１４０ｇは、その幅が上ケース１１０の円筒状突起１１０ｂ及び下ケース１１１の円筒状突起１１１ｂの直径よりも長く形成される。細溝部１４０ｆは、その幅が円筒状突起１１０ａ及び１１０ｂ並びに下ケース１１１の円筒状突起１１１ａ及び１１１ｂの直径よりも短く形成される。
【００２５】
また長円筒状突起用溝１４０ｄは、その幅が長円筒状突起１１０ｃの短手方向の幅よりも長く形成される。
【００２６】
このような構成により、スライド部材１４０は、前後方向において、その移動を、溝１４０ｂ，１４０ｇと円筒状突起１１０ａ，１１０ｂ，１１１ａ及び１１１ｂとの係合により規制される。さらに左右方向（スライド方向）において、その移動を、細溝部１４０ｆと円筒状突起１１０ａ，１１０ｂ，１１１ａ及び１１１ｂとの係合により規制される。細溝部１４０ｆは、その長さが、円筒状突起１１０ａと１１０ｂとの距離、及び、円筒状突起１１１ａと１１１ｂとの距離よりも短く形成される。このような構成により、スライド部材１４０は、円筒状突起の距離と細溝部の長さの差分だけスライドする。スライド部材１４０は、上下方向において、その移動を、長円筒状突起用溝１４０ｄと長円筒状突起１１０ｃとの係合により規制される。
【００２７】
また、段差１４０ｃは、第二付勢方向に突出して形成されている。
【００２８】
第一付勢手段１５０は、例えば圧縮コイルばねである。その一端が上ケース１１０の右側壁の内周面と当接し、他端がスライド部材１４０の右側面に設けられた第一付勢手段用穴１４０ｈ（図２参照）の底と当接する。第一付勢手段１５０は、スライド部材１４０をその付勢方向（左方向であり、以下、「第一付勢方向」という）に弾性的に付勢する。
【００２９】
＜ロック＞
スライド部材１４０は、係止爪１４０ａがプラグ１３０の一端側を係止する係止位置（図６（Ｂ）参照）と、その係止を解除する解除位置（図７参照）との間をスライドする。言い換えると、収納状態のプラグ１３０の正面及び背面と平行にスライドし、第一付勢方向及びその反対方向にスライドする。
【００３０】
第一付勢手段１５０は、解除位置から係止位置方向（図６（Ｂ）の矢印Ｇの方向であり、前述の第一付勢方向である）へスライド部材１４０を弾性的に付勢する。図６（Ａ）はロック状態の回転収納式コネクタ１００の平面図を、（Ｂ）は（Ａ）の状態から上ケース１１０を透過した状態を示す平面図である。図８は図６（Ｂ）の範囲Ｄの拡大図である。なお、図６（Ｂ）及び図８中、係止爪１４０ａ、円筒状突起１１０ａ，１１０ｂの位置を一点鎖線で示し、円筒状突起１１１ａ，１１１ｂの位置は省略する。
【００３１】
図８に示すようにスライド部材１４０は第一付勢手段１５０によって、第一付勢方向（図中の矢印Ｇ方向）に付勢されるが、細溝部１４０ｆと上ケース１１０及び下ケース１１１のそれぞれの円筒状突起１１０ａ及び１１１ａによって、第一付勢方向に対し規制される。また、プラグ１３０は、第二付勢手段１３４により、第二付勢方向（図中の矢印Ｃ方向）に弾性的に付勢されている。図８に示すように係止爪１４０ａの先端が、プラグ１３０の一端側のシェル１３１の内周面と当接し、第二付勢方向に付勢されているプラグ１３０を係止する。スライド部材１４０は、係止爪１４０ａを介して第二付勢方向に（つまり、前方に）弾性的に付勢される。言い換えると、第二付勢手段１３４に付勢されたプラグ１３０の一端側が、係止爪１４０ａを介してスライド部材１４０を第二付勢方向に付勢する。このとき、溝１４０ｂ，１４０ｇと円筒状突起１１０ａ，１１０ｂ，１１１ａ及び１１１ｂによって、第二付勢方向に対して規制されている。スライド部材１４０は、ケースに対し第二付勢方向に押し当てられる。
【００３２】
落下等によりスライド方向に衝撃を受けた場合、特許文献２等の場合には、その衝撃によりつまみが係止位置から解除位置方向にスライドし、つまみとプラグの係止が解除され、プラグがケース外部に飛び出してしまう虞がある。一方、本実施形態の場合、前述の通り、段差１４０ｃは、第二付勢方向に突出して形成されている。そのため、落下等によりスライド方向に衝撃を受けた場合にも、言い換えると、係止位置から解除位置方向（矢印Ｆの方向）へスライド部材１４０をスライドさせようとする力がかかりスライドした場合、スライド部材１４０がスライドしないように円筒状突起１１０ａ及び１１１ａと段差１４０ｃとが係合する。このような構成により、意図しないプラグ１３０の露出を防止することができる。
【００３３】
さらに、前述の通り、スライド部材１４０は、係止爪１４０ａを介して第二付勢方向に（つまり、前方に）弾性的に付勢され、その溝１４０ｂ，１４０ｇの後方側の側壁が円筒状突起１１０ａ，１１０ｂ，１１１ａ及び１１１ｂに押し当てられている。この押圧により、落下等によりスライド方向に衝撃を受けた場合に、円筒状突起１１０ａ及び１１１ａと溝１４０ｂ内の段差１４０ｃの密着度が高まるので、係止位置から解除位置方向（矢印Ｆの方向）へスライドする場合に、前述の円筒状突起１１０ａ及び１１１ａと段差１４０ｃとの係合を解除するためにより大きい押し下げる力（段差を乗り越える力）が必要となる。スライド部材１４０が第二付勢手段１３４によって付勢されることで、意図しないプラグ１３０の露出を防止する効果がより高くなる。
【００３４】
＜ロック解除＞
ロックを解除する場合には、まず、第二付勢方向とは反対方向（図８中、矢印Ｅの方向）にスライド部材を押し込む。それにより円筒状突起１１０ａ及び１１１ａと段差１４０ｃとの係合が解除される。さらに、係止位置から解除位置方向（図８中、矢印Ｆの方向であり、第一付勢方向とは反対方向）へスライド部材１４０をスライドさせることで、プラグ１３０の一端側と係止爪１４０ａとの係止が解除される。なお、前述の通り、円筒状突起１１０ａ及び１１１ａと段差１４０ｃとが係合しているため、係止位置から解除位置方向（矢印Ｆの方向）の力のみで、プラグ１３０の一端側と係止爪１４０ａとの係止を解除しようとすると、非常に大きな力が必要となる。
【００３５】
本実施形態において、段差１４０ｃは、第一付勢手段１５０の第一付勢方向に向かって、前方（第二付勢方向）に対してその厚みを増すようにテーパ状に突出して形成されている。そのため、係止位置から解除位置方向（矢印Ｆの方向）に大きな力を加えると、スライド部材１４０は第二付勢手段１３４の付勢方向とは反対方向（後方）に押し込まれ、円筒状突起１１０ａ及び１１１ａと段差１４０ｃとの係合が解除される。さらに、係止位置から解除位置方向（矢印Ｆの方向）に大きな力を加えることで、スライド部材１４０を係止位置から解除位置にスライドさせることができ、プラグ１３０の一端側と係止爪１４０ａとの係止が解除される。
【００３６】
落下等の衝撃では、通常、矢印Ｅの方向へ押し込んだ上で、矢印Ｆの方向に力を加えるといった力のかかり方はしない。また、落下等の衝撃では、力がかかるのは、一瞬であり、継続的に矢印Ｆの方向に力がかかることはない。よって、本実施形態にかかるロック構造は、意図しないプラグ１３０の露出を防止することができる。
【００３７】
ロックが解除されると、プラグ１３０は、第二付勢手段１３４によって、第二付勢方向（図６（Ｂ）の矢印Ｃの方向）に付勢され、図９に示すように、プラグ１３０が前方に突出した状態となり、相手方レセプタクル等に挿入可能な状態（使用状態）となる。上ケース１１０及び下ケース１１１のプラグ用受部１１０ｆ及び１１１ｅと（但し、図９中、プラグ用受部１１０ｆは省略する）、プラグ１３０の後方端１３０ｂとが当接し、第二付勢方向においてプラグ１３０の回動を規制する。なお、ロック解除後に、利用者がスライド部材１４０を離すと、スライド部材１４０は第一付勢手段１５０に付勢され、係止位置に戻る。このとき、スライド部材１４０の細溝部１４０ｆと円筒状突起１１０ａ及び１１１ａが係合するので、スライド部材１４０が第一付勢方向に飛び出すことはない。
【００３８】
プラグ１３０の使用が終わり、プラグ１３０をケース内に収納する場合には、第二付勢方向とは反対方向にプラグ１３０を押し込む。図１０に示すように、スライド部材１４０の左側面に形成された傾斜面とプラグ１３０の先端が係合する。スライド部材１４０の左側面に形成された傾斜面は、第二付勢方向とは反対方向（後方）に向かって、第一付勢方向（左方向）に対して厚みを増すようにテーパ状に形成されている。さらに第二付勢方向とは反対方向にプラグ１３０を押し込むと、傾斜面を介して、スライド部材１４０は、第一付勢方向とは反対方向（右方向）に押し込まれる。言い換えると、第二付勢方向とは反対方向にプラグ１３０を押し込むことにより、スライド部材１４０が係止位置から解除位置方向へスライドするように、スライド部材１４０の左側端に傾斜面が形成されている。プラグ１３０を後方まで押し込むと、スライド部材１４０の左側面に形成された傾斜面とプラグ１３０の先端との係合が解除され、スライド部材１４０が第一付勢方向にスライドする。そして、プラグ１３０のシェル１３１の成す空間（プラグ１３０の一端側の先端の開口部）にスライド部材１４０の係止爪１４０ａが入り込み、嵌り、ロック状態（図６参照）となる。このような構成により、収納の際の動作を簡略化することができる。仮に、スライド部材１４０がこのような形状でなかった場合、係止位置のスライド部材１４０を利用者が解除位置まで押し下げた上で、第二付勢方向とは反対方向にプラグ１３０を押し込む必要があり、動作が煩雑となる。
【００３９】
＜組立て＞
図２を用いて、回転収納式コネクタ１００の組立て方法を説明する。まず、本実施形態の回転収納式コネクタ１００を備える電子機器等の筐体に下ケース１１１を固定する。次に、下ケース１１１の第二付勢手段用係止部１１１ｄに形成された穴に、プラグ１３０の第二付勢手段１３４の一端の下ケース用係止部１３４ａを挿入する。プラグ１３０のプラグ孔部１３０ａと下ケースの下ケース孔部１１１ｃとを合わせ、回転軸１２０を挿入する。
【００４０】
一方、スライド部材１４０の第一付勢手段用穴１４０ｈに第一付勢手段１５０を挿入し、スライド部材１４０と第一付勢手段１５０を上ケース１１０に組込む。スライド部材１４０と第一付勢手段１５０とが組込まれた上ケース１１０を、回転軸１２０とプラグ１３０とが組込まれた下ケース１１１に被せ、ネジ止め等する。
【００４１】
前述の通り、上ケース１１０には円筒状突起が３つ形成され、円筒状突起１１０ａ，１１０ｂと長円筒状突起１１０ｃは異なる二面に連続して形成されている（図４及び図１１参照）。円筒状突起１１０ａが溝１４０ｂに嵌り、円筒状突起１１０ｂが溝１４０ｇに嵌る。さらに、長円筒状突起１１０ｃが長円筒状突起用溝１４０ｄに嵌る。そのため、スライド部材１４０を上ケース１１０に組込む際に、スライド部材１４０を異なる二面で固定することができる。仮に、円筒状突起１１０ａと１１０ｂ、または、長円筒状突起１１０ｃのみの場合、上ケース１１０を下ケース１１１に被せる際に、上ケース１１０からスライド部材１４０が落下し、外れてしまう。そのため、スライド部材１４０を上ケース１１０と下ケース１１１とでスライド部材１４０を挟み込み、固定するまで、スライド部材１４０を上ケース１１０に対し手等で固定する必要があり、組立作業性が非常に悪い。本実施形態の場合、スライド部材１４０を異なる二面で固定することができるので、手等で固定せずとも、スライド部材１４０が落下することはなく、組立作業性が良い。
【００４２】
また、前述の通り、スライド部材１４０の細溝部１４０ｆは、その幅が円筒状突起１１０ａ及び１１１ａの直径よりも短く形成されている。スライド部材１４０と第一付勢手段１５０を上ケース１１０に組込むときに、スライド部材１４０が第一付勢方向に付勢されているが、細溝部１４０ｆと円筒状突起１１０ａ及び１１１ａとが係合し、スライド部材の第一付勢方向の移動を制限することができる。仮に、細溝部１４０ｆがない場合には、第一付勢方向に付勢されたスライド部材１４０が、第一付勢方向に飛び出してしまうため、上ケース１１０と下ケース１１１でスライド部材１４０を挟み込むまで、スライド部材１４０を手等で位置固定しなければならず、組立作業性が悪い。本実施形態の場合、スライド部材の第一付勢方向の移動を制限することができるので、スライド部材１４０が第一付勢方向に飛び出すことがない。そのため、組立作業性が良い。
【００４３】
＜効果＞
このような構成により、本実施形態に係る回転収納式コネクタ１００のロック構造は、衝撃に強く、意図しないプラグの露出を防止することができる。
【００４４】
＜その他の変形例＞
本発明は上記の実施形態に限定されるものではなく、本発明の趣旨を逸脱しない範囲で適宜変更が可能である。例えば、以下のように変形等してもよい。
【００４５】
必ずしも第二付勢手段１３４は必要ではく、プラグ１３０はケースから出る方向に付勢されていなくともよい。例えば、特許文献１のように、手動によりプラグをケース外部に露出させる回転収納式コネクタの場合にも、意図しないプラグの露出が起きうるが、本実施形態にかかるロック構造（ケースやスライド部材１４０、第一付勢手段１５０）を用いることで意図しないプラグ１３０の露出を防ぐことができる。
【００４６】
円筒状突起１１０ａ，１１０ｂ，１１１ａ及び１１１ｂ、長円筒状突起１１０ｃは、他の筒状突起（四角筒状突起等）であってもよい。また、段差１４０ｃは、テーパ状でなくとも、第二付勢方向に突出して形成されていればよい。このような構成であっても、円筒状突起１１０ａ及び１１１ａと段差１４０ｃとが係合するため、第一実施形態と同様の効果を得ることができる。
【００４７】
上ケースは円筒状突起１１０ａ及び１１０ｂのうち、円筒状突起１１０ａのみを備える構成であってもよい。同様に下ケースは円筒状突起１１１ａのみを備える構成であってもよい。また、各ケースに３つ以上の円筒状突起を備える構成であってもよい。このような構成であっても第一実施形態と同様の効果を得ることができる。但し、円筒状突起１１０ａ及び１１１ａのみを備える構成の場合、スライド部材１４０が円筒状突起１１０ａ及び１１１ａを軸とする回転方向にがたつく。
【００４８】
また、ケース側に溝を備え、スライド部材側に突起を備える構成としてもよい。このとき、ケース側に備える突起または溝を第一係合手段と呼び、スライド部材側に備える溝または突起を第二係合手段と呼ぶ。また、ケースまたはスライド部材の溝が具備する段差を第二ロック手段と呼ぶ。なお、請求項における第一ロック手段は第一実施形態における係止爪を、第二ロック手段は第一実施形態における段差を、コネクタは第一実施形態におけるプラグを、含む概念とする。
【００４９】
第一ボディ１３２及び第二ボディ１３３はそれぞれ図示しない係止部を備える。同様に上ケース１１０及び下ケース１１１はそれぞれ図示しない係止部を備える。例えば、一方が凸部や係止爪を備え、他方が凹部や係止溝を備え、嵌合して係止することで一体化する。また例えば、両方がねじ孔を備え、図示しないねじにより一体化する。
【００５０】
第一付勢手段１５０は、スライド部材１４０を解除位置から係止位置方向へ弾性的に付勢するものであれば、圧縮コイルばね以外のもの（例えば、板ばね等のスプリングのほかスプリング同様の機能をなす、伸縮性のあるゴムやプラスチック等）であってもよい。同様に第二付勢手段１３４は、プラグ１３０をケースからでる方向に弾性的に付勢するものであれば、ねじりコイルばね以外のものであってもよい。
【００５１】
本発明のロック構造のロック対象となる対象物は、回転収納式コネクタ、さらにはコネクタに限定されるものではなく、本発明のロック構造は、様々な対象物（コネクタや回転収納式コネクタを含む）をケース内部に収納し、係止するロック構造全般に適用可能である。
【産業上の利用可能性】
【００５２】
本発明に係る回転収納式コネクタを各電子機器（例えば、直接ＰＣ等に取付けられたＵＳＢコネクタ、ＩＥＥＥ１３９４コネクタの電子回路用コネクタに接続して使用する画像／動画撮影機器、音声録音再生機器、無線ＬＡＮカード等の電子機器）に利用することができる。図１２は本発明の回転収納式コネクタを備える動画撮影装置１０の外観を示す。なお、回転収納式コネクタ１００の回転軸１２０、第二付勢手段１３４及び第一付勢手段等は筐体１１の内部に組込まれており、ケース（上ケース１１０及び下ケース１１１）は、動画撮影装置１０の筐体１１からなるものであってもよいし、筐体１１の内部に組込まれる構成としてもよい。
【符号の説明】
【００５３】
１００  回転収納式コネクタ
１１０  上ケース
１１１  下ケース
１２０  回転軸
１３０  プラグ
１３４  第二付勢手段
１４０  スライド部材
１５０  第一付勢手段
【図１】
2012209507.tif 000003
【図２】
2012209507.tif 000004
【図３】
2012209507.tif 000005
【図４】
2012209507.tif 000006
【図５】
2012209507.tif 000007
【図６】
2012209507.tif 000008
【図７】
2012209507.tif 000009
【図８】
2012209507.tif 000010
【図９】
2012209507.tif 000011
【図１０】
2012209507.tif 000012
【図１１】
2012209507.tif 000013
【図１２】
2012209507.tif 000014